(57)【要約】      （修正有）【課題】釣り用ウキを水流が速い環境に投入しても、ダゴの着床ポイントのほぼ直上に釣り用ウキの位置を維持し、ダゴが崩れた際にエサが装着された釣り針をほぼ直上に引き上げることが可能な釣り用ウキを提供する。【解決手段】水中において浮力を発生する第１ウキ２と、前記第１ウキ２の上端から上方に延伸する第１軸部材３の上端近傍に設けられたウキトップ４と、前記第１ウキ２の下端から下方に延伸する第２軸部材５の下端近傍に設けられた第１重り６と、備え、前記ウキトップ４と前記第１重り６とを通る第１仮想直線１０１と前記第２軸部材をその軸方向に前記第１ウキ２の内部まで延長させたと仮定した第２仮想直線１０２とが非平行になるように、前記第１ウキ２と前記ウキトップ４と前記第１重り６とを配置する。【選択図】図２
2020058265.tif 000002
【特許請求の範囲】
【請求項１】
水中において浮力を発生する第１ウキと、
前記第１ウキの上端から上方に延伸する第１軸部材の上端近傍に設けられたウキトップと、
前記第１ウキの下端から下方に延伸する第２軸部材の下端近傍に設けられた第１重りと、
を備え、
前記ウキトップと前記第１重りとを通る第１仮想直線と、前記第２軸部材を軸方向に前記第１ウキの内部まで延長させたと仮定した第２仮想直線とが非平行になるように、前記第１ウキと前記ウキトップと前記第１重りとを配置したことを特徴とする釣り用ウキ。
【請求項２】
前記第１ウキは、上面視において流線形状をなすことを特徴とする請求項１に記載の釣り用ウキ。
【請求項３】
前記第１軸部材に、前記第１ウキと前記ウキトップとの間において変位自在に支持され、水中において浮力を発生する第２ウキを備えることを特徴とする請求項１または請求項２に記載の釣り用ウキ。
【請求項４】
水面に前記第２ウキの一部が露出した状態において、前記第２仮想直線が略鉛直方向に向くことを特徴とする請求項３に記載の釣り用ウキ。
【請求項５】
水中に全体が没した状態において、前記第１仮想直線が略鉛直方向を向くことを特徴とする請求項１〜請求項４のいずれか一項に記載の釣り用ウキ。
【請求項６】
前記第１軸部材と前記第２軸部材とは一体に構成された単一の軸部材をなし、前記軸部材は、前記第１ウキを上下方向に貫通するとともに、前記第１ウキの内部で延伸方向が曲げられていることを特徴とする請求項１〜請求項５のいずれか一項に記載の釣り用ウキ。
【請求項７】
水流の中に置かれた際に、前記第２仮想直線が前記第１仮想直線よりも下流側に位置するよう、水中において変位することを特徴とする請求項１〜請求項６のいずれか一項に記載の釣り用ウキ。
【請求項８】
前記第１ウキは、
前記第２仮想直線から前記第１仮想直線の方向に向かう第１ウキ前部と、
前記第２仮想直線から前記第１仮想直線と反対の方向に向かう第１ウキ後部と、
を備え、
前記第１ウキ後部は、前記第１ウキ前部よりも肉薄のフィン状に形成されていることを特徴とする請求項１〜請求項７のいずれか一項に記載の釣り用ウキ。
【請求項９】
前記第１ウキ前部に、前方に突出して水中において前記第１ウキの上部を水面に近づく方向に付勢する浮力増強領域を備えることを特徴とする請求項８に記載の釣り用ウキ。
【請求項１０】
前記第１ウキ後部に、水中において前記第１ウキの下部を水面から遠ざける方向に付勢する第２重りを設けたことを特徴とする請求項８または請求項９に記載の釣り用ウキ。
【発明の詳細な説明】
【技術分野】
【０００１】
本発明は、釣り用ウキに関し、特に紀州釣りやウキダゴ釣りと称される釣法において使用される釣り用ウキに関する。
【背景技術】
【０００２】
例えば和歌山等では紀州釣り、九州地方等ではウキダゴ釣りと称される釣法においては、エサを刺した釣り針を集魚剤入りのダゴ（ダンゴ）で包み込み、これを種々の仕掛けとともに水中に投入し、ダゴを沈降させる。ダゴが水底まで到達した後、約１０〜３０秒でダゴが徐々に崩れ、崩れたダゴからエサを刺した釣り針が飛び出し、これに魚が食いつくとウキに当たりが出る。この釣法において使用されるウキとして、例えば羽根ウキや、自立ウキ等に代表される、いわゆる棒ウキが知られている。
【０００３】
また、集魚用のダゴを利用する釣法において、ウキの機能を改善するものとして、ウキの頂部に、この頂部から垂直上方に延びる棒を設け、この棒の外径よりも大きい内径の貫通孔を有するとともに浮力を有する浮上子の貫通孔に棒を挿通せしめ、棒のウキ側と反対側の先端に、浮上子が棒から抜けることを防ぐストッパーを設けたダンゴフカセ釣り用ウキが知られている（特許文献１）。
【０００４】
特許文献１によれば、ダンゴを遠くへ投げるために、ある程度の硬さとなるように作られたダゴを、海中において大きい浮力で引っ張り上げて早く崩し、更にウキが海面に表れたときには浮力が小さくなって、魚の小さなアタリを確実にとれるウキが提供できるとしている。
【先行技術文献】
【特許文献】
【０００５】
【特許文献１】実用新案登録第３０２９９４０号公報
【発明の開示】
【発明が解決しようとする課題】
【０００６】
紀州釣りでは、干満差が小さい長潮から小潮にかけての潮流が遅い期間は釣果が良いが、他方、干満差が大きい中潮から大潮にかけての潮流が速い期間は釣果が悪いとされている。また海中の潮が上層部と下層部（もしくは中層部）とで流れが逆方向となっている、いわゆる二枚潮や上層部だけの流れが速い（上潮の滑り）場合においても釣果が悪いとされている。
【０００７】
この主な要因は、投入されたダゴが水底に到達した着床ポイントに対して、潮流が速い場合はウキが大きな力で側方に流され、ダゴが崩れた直後にエサ（釣り針）が着床ポイントから横方向に大きく外れた位置に飛び出してしまうことにあるとされている。
【０００８】
しかしながら、従来の棒ウキや、特許文献１に記載された釣り用ウキは、速い潮流に抗してダゴの着床ポイントから横方向に大きく外れることなく、釣り針を上方に引き上げることは困難である。これは従来の棒ウキ等は、水流の方向に対して垂直な面の面積が大きく、形状抵抗やうず抵抗が大きいことに起因する。
【０００９】
本発明は、このような従来技術の課題を解決するべく案出されたものであり、釣り用ウキを水流が速い環境に投入しても、水流に対して釣り用ウキが安定した姿勢を保ち、かつ水流に対する形状抵抗やうず抵抗を低減することで、ダゴの着床ポイントのほぼ直上に釣り用ウキの位置を維持し、ダゴが崩れた際にエサが装着された釣り針をほぼ直上に引き上げることが可能な釣り用ウキを提供することにある。
【課題を解決するための手段】
【００１０】
前記課題を解決するためになされた本発明は、水中において浮力を発生する第１ウキと、前記第１ウキの上端から上方に延伸する第１軸部材の上端近傍に設けられたウキトップと、前記第１ウキの下端から下方に延伸する第２軸部材の下端近傍に設けられた第１重りと、を備え、前記ウキトップと前記第１重りとを通る第１仮想直線と、前記第２軸部材を軸方向に前記第１ウキの内部まで延長させたと仮定した第２仮想直線とが非平行になるように、前記第１ウキと前記ウキトップと前記第１重りとを配置したことを特徴とする釣り用ウキである。
【００１１】
これによって、釣り用ウキを水流が速い環境に投入しても、水流に対して釣り用ウキが安定した姿勢を保つことで、ダゴの着床ポイントのほぼ直上に釣り用ウキの位置を維持し、ダゴが崩れた際にエサが装着された釣り針をほぼ直上に引き上げることが可能となる。
【００１２】
また、本発明は、前記第１ウキは、上面視において流線形状をなすように構成したものである。
【００１３】
これによって、水流に対する第１ウキの形状抵抗及びうず抵抗が大幅に低減されて、第１ウキを水流に押し流されにくくすることが可能となる。
【００１４】
また、本発明は、前記第１軸部材に、前記第１ウキと前記ウキトップとの間において変位自在に支持され、水中において浮力を発生する第２ウキを備えるようにしたものである。
【００１５】
これによって、釣り用ウキの全体が水没したときに、第２ウキがウキトップの方向に変位することで追加的な浮力が発生し、第１ウキを水面に近づくように引き上げることが可能となる。
【００１６】
また、本発明は、水面に前記第２ウキの一部が露出した状態において、前記第２仮想直線が略鉛直方向に向くようにしたものである。
【００１７】
これによって、第１ウキは浮上した後に自立し、上下方向に移動する際の形状抵抗が低減され、魚がエサに食いついたときの当たりを高感度に検出することが可能となる。
【００１８】
また、本発明は、釣り用ウキが水中に全体が没した状態において、前記第１仮想直線が略鉛直方向を向くようにしたものである。
【００１９】
これによって、水流を受けた第１ウキは第１仮想直線を軸として回転し、水流の影響を受けにくい安定した状態に変位することが可能となる。
【００２０】
また、本発明は、前記第１軸部材と前記第２軸部材とは一体に構成された単一の軸部材をなし、前記軸部材は、前記第１ウキを上下方向に貫通するとともに、前記第１ウキの内部で延伸方向が曲げられているものである。
【００２１】
これによって、第１ウキの内部において軸部材が湾曲して配置されていることで、軸部材に対する第１ウキの向きが一意に決定され、第１ウキ（前後方向における第１ウキの姿勢）とウキトップと第１重りとの位置関係が実質的に一意に定まるとともに、軸部材は第１ウキの芯材として機能し、第１ウキの機械的強度を向上することが可能となる。
【００２２】
また、本発明は、釣り用ウキは、水流の中に置かれた際に、前記第２仮想直線が前記第１仮想直線よりも下流側に位置するよう、水中において変位するようにしたものである。
【００２３】
これによって、水流を受けることによって、第２仮想直線が貫通する第１ウキを常に下流側に変位させて、水流に対して釣り用ウキを安定した状態にすることが可能となる。
【００２４】
また、本発明は、前記第１ウキは、前記第２仮想直線から前記第１仮想直線の方向に向かう第１ウキ前部と、前記第２仮想直線から前記第１仮想直線と反対の方向に向かう第１ウキ後部と、を備え、前記第１ウキ後部は、前記第１ウキ前部よりも肉薄のフィン状に形成されているものである。
【００２５】
これによって、水流の中に第１ウキが置かれたとき、フィン状部が下流方向に向き、第１ウキの姿勢を安定に保つことが可能となる。
【００２６】
また、本発明は、前記第１ウキ前部に、前方に突出して水中において前記第１ウキの上部を水面に近づく方向に付勢する浮力増強領域を備えるようにしたものである。
【００２７】
これによって、釣り用ウキが浮上して自立したときの姿勢が安定に保たれる。
【００２８】
また、本発明は、前記第１ウキ後部に、水中において前記第１ウキの下部を水面から遠ざける方向に付勢する第２重りを設けたものである。
【００２９】
これによって、釣り用ウキが浮上して自立したときの姿勢が安定に保たれる。
【発明の効果】
【００３０】
このように本発明によれば、釣り用ウキを水流が速い環境に投入しても、水流に対して釣り用ウキが安定した姿勢を保ち、かつ水流に対する形状抵抗やうず抵抗を低減することで、ダゴの着床ポイントのほぼ直上に釣り用ウキの位置を維持し、ダゴが崩れた際にエサが装着された釣り針をほぼ直上に引き上げることが可能となる。
【図面の簡単な説明】
【００３１】
【図１】本発明の実施形態に係る釣り用ウキ１の概要を示す斜視図
【図２】（ａ）は、本発明の実施形態に係る釣り用ウキ１の正面図、（ｂ）は、同釣り用ウキ１の側面図
【図３】（ａ）は、本発明の実施形態に係る釣り用ウキ１の第１ウキ２の詳細を示す側面図、（ｂ）は、同釣り用ウキ１の第１ウキ２の詳細を示すＩＩＩＢ−ＩＩＩＢ断面図
【図４】本発明の実施形態に係る釣り用ウキ１が水中に置かれたときに水面の方向に変位する過程を示す説明図
【図５】（ａ）、（ｂ）は、本発明の実施形態に係る釣り用ウキ１が水中で安定した状態に変位する過程を示す説明図
【図６】（ａ）は、本発明の実施形態に係る釣り用ウキ１の全体が水中に没した状態を説明する説明図、（ｂ）は、同釣り用ウキ１が水面に浮上した状態を説明する説明図、（ｃ）は、同釣り用ウキ１を含む仕掛けに当たりが出た状態を示す説明図
【図７】（ａ）、（ｂ）、（ｃ）、（ｄ）は、本発明に係る釣り用ウキ１の実施例を示す写真
【発明を実施するための形態】
【００３２】
以下、本発明の実施形態について図面を参照して説明する。図１は、本発明の実施形態に係る釣り用ウキ１の概要を示す斜視図である。
【００３３】
図１において、１は釣り用ウキである。釣り用ウキ１は、水中において浮力を発生する第１ウキ２と、第１ウキ２の上端から上方に延伸する第１軸部材３と、第１軸部材３の上端近傍に設けられたウキトップ４と、第１ウキ２の下端から下方に延伸する第２軸部材５と、第２軸部材５の下端近傍に設けられた第１重り６と、第１ウキ２とウキトップ４との間において、第１軸部材３に支持されるとともに、第１軸部材３の軸方向に変位自在に構成されて、水中において浮力を発生する第２ウキ７とを備える。
【００３４】
ウキトップ４はゴム等で構成された留部材４ａによって、第１軸部材３の上端近傍に固定されている。また、第１重り６の下端には例えばステンレス製の針金で構成された環状部材８が設けられている。また、第１軸部材３には例えば樹脂で構成され貫通孔を有して第１軸部材３に沿って変位可能に支持された緩衝用のビーズ部材９ａ，９ｂが設けられ、これらの間に第２ウキ７が設けられる。
【００３５】
図２（ａ）は、本発明の実施形態に係る釣り用ウキ１の正面図、（ｂ）は、同釣り用ウキ１の側面図である。以降、図２に図１を併用して説明を続ける。
【００３６】
ウキトップ４は、直径Ｌ１＝約８〜１０ｍｍの略球形状をなす発泡性の樹脂等で構成され、釣り用ウキ１が水面に浮上した際に、水面から斜め上方に突出して魚の当たりを視認する部材である。ウキトップ４は視認性を確保するために高彩度の色彩（例えば赤色や黄色）が施されている。もちろん夜間の視認性を確保するため、蛍光体を含有する塗料でウキトップ４を塗装してもよい。なお、ウキトップ４は第２ウキ７が第１軸部材３の先端から抜け落ちることを防止するストッパーとしても機能する。
【００３７】
第１軸部材３及び第２軸部材５は、直径Ｌ２＝０．８〜１．２ｍｍのグラスあるいはカーボン製のヤング率が高く硬質な線材（ソリッド）で構成されている。なお、ここでは第１軸部材３と第２軸部材５とは便宜上別部材として記載しているが、実際は第１軸部材３と第２軸部材５とは単一の軸部材から構成されている（詳細は後述する）。
【００３８】
第１重り６は、幅Ｌ５＝４〜５ｍｍに加工された鉛等の金属で構成され、第１ウキ２を自立させる作用を有する（釣り用ウキ１が「自立した状態」については後述する）。なお、第１重り６は水流に対する形状抵抗を低減するために、正面視の面積が側面視の面積よりも小さくなるよう扁平な形状に加工されている。
【００３９】
図２（ａ）に示すように、第１ウキ２は正面視で左右に一対の第１ピース２ａと第２ピース２ｂとを張り合わせた略平板（フラット）形状のサンドイッチ構造を有するとともに、上面視において流線形状に加工され（図３（ｂ）参照）、最大幅Ｌ４＝４〜５ｍｍとされている。各ピースはバルサ材または桐等の気体含有率が高く浮力の大きな材料で構成される。もちろん各ピースを発泡性樹脂（発泡プラスティック）等で構成してもよい。なお、第１ウキ２を上述のように木質材料で構成した場合は、水分の吸収を防止するため、表面にコート材として例えばアクリルラッカー塗装を施すことが好ましい。
【００４０】
第２ウキ７は、発泡プラスティック等で構成された直径Ｌ３＝８〜１０ｍｍの略円柱形状（ただし、上面及び下面は曲面）をなし、長手方向に設けられた貫通孔によって第１軸部材３に軸支されている。図２（ｂ）に示すように、第２ウキ７は第１ウキ２とウキトップ４との間において方向Ｄ１と方向Ｄ２に変位自在とされている。釣り用ウキ１の全体が水没しているとき、第２ウキ７はその浮力によって方向Ｄ１に変位し、緩衝材としてのビーズ部材９ｂを挟んで間接的にウキトップ４（留部材４ａ）と当接する。他方、第１ウキ２が水面に浮上しているとき、第２ウキ７は自重によって方向Ｄ２に変位し、ビーズ部材９ａを挟んで間接的に第１ウキ２の上面に当接する。
【００４１】
即ち、本実施形態における釣り用ウキ１では、その全体が水没しているときは第１ウキ２及び第２ウキ７の双方に基づく浮力が発生し、他方、釣り用ウキ１が浮上し、第１ウキ２の一部（上部）が水面から露出しているときは第１ウキ２のみに基づく浮力が発生する。なお、完全に水没した釣り用ウキ１が浮上するに従って、ウキトップ４に続いて第２ウキ７が水面から完全に露出する。上述したように第２ウキ７は第１軸部材３の軸方向について変位可能に支持されているから、釣り用ウキ１の浮上に伴って、第２ウキ７が水面から露出した後、更に釣り用ウキ１が浮上していくと、第２ウキ７は第１軸部材３に沿って方向Ｄ２に下降していき、この際に第２ウキ７が釣り用ウキ１全体に対して浮力を及ぼすことはない。
【００４２】
図２（ｂ）に明瞭に示すように、ウキトップ４は第１ウキ２の上端から前方斜め上方に延伸された第１軸部材３の端部（先端）近傍に設けられており、第１重り６は、第１ウキ２の下端から鉛直方向に延伸された第２軸部材５の端部（先端）近傍に設けられている。ここで、ウキトップ４と第１重り６とを通る第１仮想直線１０１と、第２軸部材５をその軸方向に第１ウキ２の内部まで延長させたと仮定した第２仮想直線１０２を導入すると、第２仮想直線１０２に対して第１軸部材３は角度βだけ傾斜しており、この角度β及び第１ウキ２の上端からウキトップ４までの距離（長さ）に基づいて、第２仮想直線１０２に対して第１仮想直線１０１は角度αだけ傾斜する。このとき角度α＜角度βが成立する。なお、図２（ｂ）においては、角度α＝約８°、角度β＝約１５°に設定した状況を例示している。
【００４３】
即ち、本実施形態の釣り用ウキ１は、水中において浮力を発生する第１ウキ２と、第１ウキ２の上端から上方に延伸する第１軸部材３の上端近傍に設けられたウキトップ４と、第１ウキ２の下端から下方に延伸する第２軸部材５の下端近傍に設けられた第１重り６と、を備え、ウキトップ４と第１重り６とを通る第１仮想直線１０１と第２軸部材５を軸方向に第１ウキ２の内部まで延長させたと仮定した第２仮想直線１０２とが非平行になるように、第１ウキ２とウキトップ４と第１重り６とを配置している。
【００４４】
なお、これも図２（ｂ）から明確なように、第１軸部材３の延伸方向と第２仮想直線１０２とも非平行に構成されており、第１軸部材３の延伸方向と第２仮想直線１０２とを非平行に構成することで、第１仮想直線１０１と第２仮想直線１０２とは非平行となる。また、見方を変えると、第１ウキ２の上下方向の範囲であるＬ６において、第１仮想直線１０１と第２仮想直線１０２とは、非平行でかつ交わらないように構成される。
【００４５】
このような構成とすることで、釣り用ウキ１を水流が速い環境に投入しても、水流に対して釣り用ウキ１が安定した姿勢を保つことで、ダゴ１９（図４参照）の着床ポイントのほぼ直上に釣り用ウキ１の位置を維持し、ダゴ１９が崩れた際にエサ１８（同上）が装着された釣り針１７（同上）をほぼ直上に引き上げることが可能となる。なお、釣り用ウキ１が安定した姿勢に変位する過程については後述する。
【００４６】
なお、図２（ａ）を参照すると、第１仮想直線１０１と第２仮想直線１０２（図２（ａ）においては図示せず）とは、正面視において、少なくとも設計上は重畳するように構成されている。従って、図２（ｂ）において、第１仮想直線１０１と第２仮想直線１０２とは、第１重り６の下端近傍において交わることとなる。
【００４７】
図３（ａ）は、本発明の実施形態に係る釣り用ウキ１の第１ウキ２の詳細を示す側面図、（ｂ）は、同釣り用ウキ１の第１ウキ２の詳細を示すＩＩＩＢ−ＩＩＩＢ断面図である。以降、図３（ａ），（ｂ）を用いて第１ウキ２について更に詳細に説明する。
【００４８】
図３（ａ）に示すように、第１ウキ２には、第２仮想直線１０２から第１仮想直線１０１の方向に向かう（即ち、第２仮想直線１０２の前方に）第１ウキ前部２ｆが設けられ、また、第２仮想直線１０２から第１仮想直線１０１と反対の方向に向かう（即ち、第２仮想直線１０２の後方に）第１ウキ後部２ｒが設けられている。
【００４９】
第１ウキ前部２ｆにおいて、第１ウキ２の上方（正確には、第１ウキ２の重心Ｇよりも上方）には更に前方に突出する凸部として浮力増強領域２ｕが設けられている。浮力増強領域２ｕのみを考慮するとき、その浮心Ｆは第１ウキ２の重心Ｇよりも上方に配置されており、水中において浮力増強領域２ｕが発生する浮力は、重心Ｇを中心に、ここでは時計回りの方向に回転力を生じさせて、結果的に第１ウキ２の上部を水面に近づく方向に付勢する。なお、浮力増強領域２ｕが凸部を構成することに対応して、浮力増強領域２ｕの下部には側面視で緩いカーブを描く凹部が形成されている。
【００５０】
また第１ウキ後部２ｒには、例えば鉛の薄板で構成された第２重り１１が内蔵されている。第２重り１１のみを考慮するとき、その重心Ｇ１は第１ウキ２の重心Ｇよりも下方に配置されており、第２重り１１も重心Ｇを中心に、ここでは時計回りの方向に回転力を生じさせて、結果的に第１ウキ２の下部を水面から遠ざける方向に付勢する。
【００５１】
これら浮力増強領域２ｕと第２重り１１によって生じる時計回り方向の回転力は、釣り用ウキ１が浮上して自立する際に有効に作用する（詳細は後述する）。
【００５２】
上述したように、第１ウキ２は図３（ｂ）に示すように、左右一対の第１ピース２ａと第２ピース２ｂとで構成されており、これら二枚のピースを張り合わせたときに、第１ウキ２には第１ウキ貫通孔２ｈが形成される。図３（ａ）に示すように、第１軸部材３と第２軸部材５とは実際は一体に構成された単一（一本）の軸部材（ソリッド）であって、第１軸部材３（第２軸部材５でもある。以降、第１軸部材３と第２軸部材５とを合わせて、単に「軸部材」と称することがある。）は、第１ウキ貫通孔２ｈに挿通されている。
【００５３】
なお、釣り用ウキ１の製造工程においては、軸部材を一方のピースに設けられた溝に押し込んで、その後に二枚のピースを張り合わせてもよいし、あるいは二枚のピースを張り合わせた後に、双方のピースに設けられた溝から構成される第１ウキ貫通孔２ｈに軸部材を挿入してもよい。
【００５４】
ここで、第１ウキ貫通孔２ｈは、第１ウキ２の上端近傍では第２仮想直線１０２と角度β（図２（ｂ）参照）だけ傾斜して設けられ、第１ウキ２の下部では第２仮想直線１０２と重なるように設けられ、第１ウキ２の内部において滑らかに湾曲するように（即ち、延伸方向が曲げられて）配設されている。軸部材が第１ウキ貫通孔２ｈに湾曲した状態で配置されることで、軸部材を中心とする第１ウキ２の回転が実質的に抑制される。このことは、軸部材によって、第１ウキ２（前後方向における第１ウキ２の姿勢（向き））とウキトップ４と第１重り６との位置関係が実質的に一意に定まることを意味している。もちろんこの位置関係をより確実に維持するために、第１ウキ貫通孔２ｈにおいて軸部材を接着剤等で固定してもよい。
【００５５】
更に、軸部材は第１ウキ２の内部にあって芯材として機能する。これによって、第１ウキ２の機械的強度が大幅に向上する。
【００５６】
また、第１ウキ後部２ｒには、その後端に向けて第１ウキ前部２ｆと比較して左右方向に幅が小さく（肉薄に）構成されたフィン状部２ｆｉｎが設けられている。更に図３（ｂ）に示すように、第１ウキ２を上面視において流線形状とすることが望ましい。フィン状部２ｆｉｎによって、水流の中に第１ウキ２が置かれたとき、フィン状部２ｆｉｎが下流方向に向き、第１ウキ２の姿勢が安定する。また第１ウキ２を上面視において（即ち、水平断面を）流線形状とすることで、第１ウキ２の形状抵抗のみならず、第１ウキ後部２ｒにおけるうず抵抗が減少して、水流に押し流されにくくなる。
【００５７】
図４は、本発明の実施形態に係る釣り用ウキ１が水中に置かれたときに水面の方向に変位する過程を示す説明図である。図４においては、釣り用ウキ１が傾斜した状態で水中に投下され、その後に水面の方向に変位する状態を示している。
【００５８】
以下、本発明に係る釣り用ウキ１を含む仕掛けについて概要を説明する。釣り用ウキ１の第１重り６の下端に設けられた環状部材８には道糸１４が係合されている。道糸１４としては、例えば水面に浮くフロートライン（登録商標）が好ましい。道糸１４は環状部材８を介して下方に延伸され、主に糸の捩じれを防止する部材であるサルカン１６の上部に係合されている。更にサルカン１６の下部にはハリス１５が係合されている。そして、ハリス１５の先端には釣り針１７が結び付けられ、釣り針１７にはオキアミ等のエサ１８が装着される。釣り針１７及びエサ１８は集魚剤を含むダゴ１９で包み込まれている。もちろん、当該仕掛けについては他の追加要素を備えていても構わないし、より単純な構成としてもよい。
【００５９】
このような仕掛けを水中に投じたとき、仕掛けを投入する方向に釣り用ウキ１が引き込まれ、鉛直方向から傾斜（ここでは、後方に傾斜）する姿勢をとったとする。仕掛けを水中に投入した時点においては、ダゴ１９の重量が大きいことから図４に示すように釣り用ウキ１の全体が水没することになる。
【００６０】
釣り用ウキ１の全体が水没した状況においては、第２ウキ７がその浮力に基づいて第１軸部材３にガイドされて上方（水面の方向（図３（ｂ）に示す方向Ｄ１））に移動する。第２ウキ７が上限まで移動、即ちビーズ部材９ｂを挟んで間接的にウキトップ４に当接すると、第２ウキ７による追加的な浮力は第１ウキ２を水面に近い方向に引き上げるよう作用するため、結果的に第１ウキ２は方向Ｄｕに変位する。この作用は、釣り用ウキ１が鉛直方向から前方に傾斜している場合、あるいは左右（ここでは紙面の前後方向）に傾斜している場合であっても同様に働くこととなる。
【００６１】
本発明に係る釣り用ウキ１は、全体が水没して第２ウキ７が水面方向に変位すると、ウキトップ４と第１重り６とを通る第１仮想直線１０１が略鉛直方向を向くようにされている。具体的には、第２ウキ７の浮力が支配的に作用するように、第２ウキ７の浮力が調整されている。もちろん、第１仮想直線１０１の向きが鉛直方向と完全に一致している必要はなく、少なくとも、水中における釣り用ウキ１の姿勢が、「第１軸部材３の延伸方向が鉛直方向と一致する姿勢」と「第２軸部材５をその軸方向に第１ウキ２の内部まで延長させたと仮定した第２仮想直線１０２が鉛直方向と一致する姿勢」との間で維持されていればよい。
【００６２】
水中においてこのような姿勢が維持されることで、釣り用ウキ１は、上面視で水流に対して安定した一定の方向を保ち、水流から押し流されにくくなる。以降、釣り用ウキ１が水流に対して安定した一定の方向を保つ過程について説明する。
【００６３】
図５（ａ）、（ｂ）は、本発明の実施形態に係る釣り用ウキ１が水中で安定した状態に変位する過程を示す説明図である。ここで、図５（ａ）は水流Ｄｓに対して不安定な状態を、図５（ｂ）は水流Ｄｓに対して安定な状態を示している。
【００６４】
釣り用ウキ１が、図５（ａ）に示す状態、即ち水流Ｄｓの上流側に第１ウキ後部２ｒが位置し、下流側に第１ウキ前部２ｆが位置する状態を想定する。この状態は不安定であって、水流Ｄｓの揺らぎ等によって、釣り用ウキ１に略鉛直方向を向く第１仮想直線１０１を軸として微小な回転が生じたとする。図３（ａ）に示すように、第１ウキ２は側面視で大きな面積を有することから、図５（ａ）の状態から第１ウキ２が少しでも回転すると形状抵抗が急激に増大し、第１ウキ２は図５（ｂ）に示すように第１ウキ前部２ｆが水流Ｄｓの上流側を向き、第１ウキ後部２ｒが下流側を向いて安定する。
【００６５】
即ち、水流Ｄｓを受けた第１ウキ２は第１仮想直線１０１を軸として、上下方向における第１ウキ２の範囲Ｌ６（図２（ｂ）参照）での第２仮想直線１０２が第１仮想直線１０１よりも下流側に位置するよう回転し、水中において水流Ｄｓの影響を受けにくい安定した状態に変位する。更に、上述したように第１ウキ後部２ｒにはフィン状部２ｆｉｎが設けられていることから、フィン状部２ｆｉｎが水流Ｄｓに対して下流側を向くことで、安定度は更に向上する。
【００６６】
実際は、釣り用ウキ１が水中に投入された際の姿勢は様々であり、通常は図４を用いて説明した「釣り用ウキ１が水中に置かれたときに水面の方向に変位する過程」と、図５を用いて説明した「釣り用ウキ１が水中で安定した状態に変位する過程」とは、並行して（同時に）進行することになる。釣り用ウキ１が図５（ｂ）に示す安定な姿勢を保った後は、例え水流Ｄｓの向きが変わったとしても、釣り用向きは変化した水流Ｄｓの向きに応じて第１仮想直線１０１を軸として回転し、安定な状態が維持される。
【００６７】
また上述したように、第１ウキ２は上面視で流線形状をなしていることから、釣り用ウキ１が安定した状態において、水流Ｄｓに対する形状抵抗、うず抵抗ともに小さい状態を保ち、釣り用ウキ１はダゴ１９の着床ポイントのほぼ直上の位置を保つことが可能となる。
【００６８】
図６（ａ）は、本発明の実施形態に係る釣り用ウキ１の全体が水中に没した状態を説明する説明図、（ｂ）は、同釣り用ウキ１が水面に浮上した状態を説明する説明図、（ｃ）は、同釣り用ウキ１を含む仕掛けに当たりが出た状態を示す説明図である。以降、図６（ａ）〜図６（ｃ）を用いて、釣り用ウキ１を含む仕掛けを水中に投入してから当たりがでるまでの過程について説明する。
【００６９】
図６（ａ）に示すように、仕掛けを水中に投入するとダゴ１９に含まれる集魚剤に誘われて魚２０が近寄ってくる。このときの釣り用ウキ１の姿勢は上述したように、第１仮想直線１０１が略鉛直方向を向いており、これも既に説明したように、釣り用ウキ１はダゴ１９の着床ポイントのほぼ真上に位置している。
【００７０】
やがてダゴ１９が水分を吸収して崩れると、図６（ｂ）に示すように、釣り用ウキ１（第１ウキ２）は水面に浮上する。このとき第２ウキ７は水面から完全に露出しており、釣り用ウキ１は第２ウキ７による浮力を失った状態となるが、釣り用ウキ１は第１ウキ２の浮力と主に第１重り６の重量とがバランスして自立する。このとき釣り用ウキ１には第２ウキ７の浮力が作用せず、釣り用ウキ１全体としての浮力が小さくなって、小さな当たりを確実にとれるようになる。
【００７１】
なお、釣り用ウキ１が自立して、第１ウキ２の一部が水面から露出した際、第１ウキ２の上端から１０〜２０ｍｍの範囲が水面から露出するように（Ｂ〜５Ｂ程度の浮力となるように）、第１重り６（及び第２重り１１（図３（ａ）参照））の重量が調整されている。具体的には、第１重り６の重量は、主に第１ウキ２の浮力に基づいて調整されるが、およそ０．５号（１．８８ｇ）〜１号（３．７５ｇ）の範囲とすることが好ましい。
【００７２】
図６（ｂ）に示す自立した状態において、第１ウキ２の姿勢は釣り用ウキ１の全体が水没しているときとは異なり、第１ウキ２の下端から下方（鉛直方向）に延伸する第２軸部材５（図２（ｂ）参照）をその軸方向に第１ウキ２の内部まで延長させたと仮定した第２仮想直線１０２が略鉛直方向に向いている。このとき、ウキトップ４は鉛直方向から角度β（図２（ｂ）参照）だけ傾斜して水面から上方に向けて突出することとなる。
【００７３】
ウキトップ４が鉛直方向から傾斜していることで、ウキトップ４の重量によって、第１軸部材３が長ければ長いほど釣り用ウキ１はここでは反時計回り方向の回転力を受ける。既に説明した浮力増強領域２ｕ及び第２重り１１（図３（ａ）参照）は、逆に第１ウキ２に対してここでは時計回りの方向に回転力を与えることから、時計回りと反時計回りの回転力が相殺され、第２仮想直線１０２が鉛直方向を向くように釣り用ウキ１を自立させることができる。即ち、釣り用ウキ１が浮上して自立したときの姿勢が安定に保たれる。
【００７４】
上述したように、第１ウキ２の一部が水面から露出した状態では、釣り用ウキ１は第２ウキ７による浮力を失なっており、更に第２仮想直線１０２が鉛直方向を向くことで、第１ウキ２が上下（鉛直）方向に移動する際の形状抵抗が低減される、これらの作用によって、魚２０がエサ１８に食いついたときの当たりを高感度に検出することが可能となる。
【００７５】
また、これも上述したように、第１ウキ２は上面視で流線形状とされ、更に第１ウキ後部２ｒはフィン状に構成されていることから（図３（ｂ）参照）、自立した状態においても第１ウキ後部２ｒは水流Ｄｓの向きに応じて下流側を向く。このように本発明に係る釣り用ウキ１は、自立した状態であっても水流Ｄｓ（図５参照）の影響を受けにくい構造とされている。
【００７６】
そして、釣り用ウキ１が完全に水没した状態から自立した状態に至る過程で、エサ１８を装着した釣り針１７は崩れたダゴ１９のほぼ直上に飛び出すこととなり、図６（ｃ）に示すように、このエサ１８に魚２０が食いつくことで、第１ウキ２が水中に引き込まれ、ウキトップ４と第２ウキ７の相対的な位置関係が変化することで当たりが視認される。
【実施例】
【００７７】
図７（ａ）、（ｂ）、（ｃ）、（ｄ）は、本発明に係る釣り用ウキ１の実施例を示す写真である。上述した実施形態に基づいて、図７に示すサンプルＳ１〜サンプルＳ４の４つの試作品を作成して、いずれも「釣り用ウキ１が水中に置かれたときに水面の方向に変位する作用」と「釣り用ウキ１が水中で安定した状態に変位する作用」とが発現し、水流が速い環境に投入しても、釣り用ウキ１が水流に押し流されにくくなる効果を確認した。なお比較例として、第２仮想直線１０２に対する第１軸部材３の角度βを０°とすることで、第２仮想直線１０２に対する第１仮想直線１０１の角度αを０°としたものを作成した（図示せず）。
【００７８】
比較例は、「ウキトップ４と第１重り６とを通る第１仮想直線１０１と第２軸部材５をその軸方向に第１ウキ２の内部まで延長させたと仮定した第２仮想直線１０２とが「平行」になるように（より限定的には、第１仮想直線１０１と第２仮想直線１０２とが重なるように）、第１ウキ２とウキトップ４と第１重り６とを配置した」釣り用ウキ１に相当している。なお、比較例においては、第１ウキ２に相当する部分は、第２仮想直線１０２に対して前後で対称な平板形状とした。また第２ウキ７は実施例と同一の部材を用いた。
【００７９】
比較例では、水流が生じている水中に釣り用ウキ１の全体を水没させると、釣り用ウキ１は第１仮想直線１０１を中心とする軸周りに時計回りと反時計回りとを繰り返す振動を生じ、特に「釣り用ウキ１が水中で安定した状態に変位する作用」が発現しなかった。
【００８０】
なお、以下（表１）において、各数値は以下を意味する。
Ｌ６：第１ウキ２の上端から下端までの長さ（第１ウキ２の上下方向の範囲）
Ｌ７：第１ウキ２の上端からウキトップ４の先端までの長さ
Ｌ８：第１ウキ２の下端から第１重り６の先端までの長さ
角度α：第２仮想直線１０２に対する第１仮想直線１０１の傾斜角度
角度β：第２仮想直線１０２に対する第１軸部材３の傾斜角度
（Ｌ６，Ｌ７，Ｌ８，角度α，角度βが対応する部位については、図２（ｂ）、図７を参照）
【００８１】
【表１】
2020058265.tif 000003
【００８２】
以上、本発明に係る釣り用ウキ１について特定の実施形態及び実施例に基づいて詳細に説明したが、これらの実施形態及び実施例はあくまでも例示であって、本発明はこれらの実施形態、実施例によって限定されるものではない。例えば（表１）に開示されたサンプルＳ１〜Ｓ４の具体的数値は、本発明を限定的に解釈するものではない。
【００８３】
また、上述した実施形態においては、本発明に係る釣り用ウキ１は、主に紀州釣りで使用されるウキを想定して説明したが、いわゆるフカセ釣り等の他の釣法についても有効に効果を奏することができるのは言うまでもない。また、釣り用ウキ１が海釣り、川釣り等に区別なく適用できるのも自明である。
【００８４】
また、本発明は主に釣り用ウキ１に関連して創作されたものであるが、水流が生じている水中において、水流の影響を抑制して水中に置かれる物体の位置を維持するという効果を奏する観点で、本発明は、例えば海難事故によって沈没あるいは一部が水没した船舶等に対して重りとともに投下されて船舶等の位置を示す救命ブイに応用することも可能である。
【産業上の利用可能性】
【００８５】
本発明に係る釣り用ウキは、水流が速い環境に投入しても、ダゴの着床ポイントのほぼ直上に釣り用ウキの位置を維持し、ダゴが崩れた際にエサが装着された釣り針をほぼ直上に引き上げることが可能であるから、紀州釣りやフカセ釣り等の様々な釣法で用いられる釣り用ウキに好適に応用することができる。
【符号の説明】
【００８６】
１    釣り用ウキ
２    第１ウキ
２ｆ  第１ウキ前部
２ｒ  第１ウキ後部
２ｕ  浮力増強領域
２ｈ  第１ウキ貫通孔
２ｆｉｎ  フィン状部
３    第１軸部材
４    ウキトップ
５    第２軸部材
６    第１重り
７    第２ウキ
９ａ，９ｂ  ビーズ部材
１１  第２重り
１０１  第１仮想直線
１０２  第２仮想直線
Ｄｓ  水流
【図１】
2020058265.tif 000004
【図２】
2020058265.tif 000005
【図３】
2020058265.tif 000006
【図４】
2020058265.tif 000007
【図５】
2020058265.tif 000008
【図６】
2020058265.tif 000009
【図７】
2020058265.tif 000010
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
水中において浮力を発生する第１ウキと、
前記第１ウキの上端から上方に延伸する第１軸部材の上端近傍に設けられたウキトップと、
前記第１ウキの下端から下方に延伸する第２軸部材の下端近傍に設けられた第１重りと、
を備え、
前記ウキトップと前記第１重りとを通る第１仮想直線と、前記第２軸部材を軸方向に前記第１ウキの内部まで延長させたと仮定した第２仮想直線とが非平行になるように、前記第１ウキと前記ウキトップと前記第１重りとを配置するとともに、
前記第１ウキは、前記第２仮想直線から前記第１仮想直線の方向に向かう第１ウキ前部と、前記第２仮想直線から前記第１仮想直線と反対の方向に向かう第１ウキ後部と、を備え、前記第１ウキ前部に、前方に突出して水中において前記第１ウキの上部を水面に近づく方向に付勢する浮力増強領域を設けたことを特徴とする釣り用ウキ。
【請求項２】
前記第１ウキ後部に、水中において前記第１ウキの下部を水面から遠ざける方向に付勢する第２重りを設けたことを特徴とする請求項１に記載の釣り用ウキ。
【請求項３】
前記第１ウキは、上面視において流線形状をなすことを特徴とする請求項１または請求項２に記載の釣り用ウキ。
【請求項４】
前記第１軸部材に、前記第１ウキと前記ウキトップとの間において変位自在に支持され、水中において浮力を発生する第２ウキを備えることを特徴とする請求項１〜請求項３のいずれか一項に記載の釣り用ウキ。
【請求項５】
前記第１軸部材と前記第２軸部材とは一体に構成された単一の軸部材をなし、前記軸部材は、前記第１ウキを上下方向に貫通するとともに、前記第１ウキの内部で延伸方向が曲げられていることを特徴とする請求項１〜請求項４のいずれか一項に記載の釣り用ウキ。
【請求項６】
前記第１ウキ後部は、前記第１ウキ前部よりも肉薄のフィン状に形成されていることを特徴とする請求項１〜請求項５のいずれか一項に記載の釣り用ウキ。